(57)【要約】【課題】ユーザーの使い勝手を良好にできるリモコン送信器を提供する。【解決手段】リモコン送信器１０は、照明器具の点灯タイマおよび消灯タイマの操作と、照明器具の点灯タイマおよび消灯タイマの操作を照明器具に対応させるチャンネル設定を行う操作部１９、２０、２１と、操作部１９、２０、２１の操作状況を表示する表示部２２とを備え、操作部１９、２０、２１による操作を行って照明器具に制御信号を送信したときに、表示部２２は設定されたチャンネル設定を表示する。【選択図】図１
2011249112.tif 000002
【特許請求の範囲】
【請求項１】
照明器具の点灯タイマおよび消灯タイマの操作と、前記照明器具の前記点灯タイマおよび前記消灯タイマの操作を前記照明器具に対応させるチャンネル設定を行う操作部と、
前記操作部の操作状況を表示する表示部とを備え、
前記操作部による操作を行って前記照明器具に制御信号を送信したときに、前記表示部は設定された前記チャンネル設定を表示するリモコン送信器。
【請求項２】
請求項１に記載のリモコン送信器において、
前記チャンネル設定の表示は、前記操作部による操作後に一定時間行われるリモコン送信器。
【発明の詳細な説明】
【技術分野】
【０００１】
本発明は、赤外線を信号媒体として用いて制御信号を送信して例えば照明器具等の負荷の制御を行うリモコン送信器に関し、特に複数の負荷を制御するチャンネル設定を行うリモコン送信器に関する。
【背景技術】
【０００２】
従来より複数のシーン設定ボタンと、チャンネル確認用ボタンと、点灯モード切換ボタンと、チャンネル状態を表示する液晶表示部と、赤外線送信用の赤外線発光素子とを備えたリモコン送信器が知られている（例えば、特許文献１参照）。
【先行技術文献】
【特許文献】
【０００３】
【特許文献１】特開平７−１２２３６８号公報（図２、段落番号００１０）
【発明の概要】
【発明が解決しようとする課題】
【０００４】
前述した特許文献１に記載されたリモコン送信器は、チャンネル確認ボタンの操作により設定されたチャンネル状態が液晶表示部により表示され、シーン設定ボタンにより記憶された点灯状態が再現される。
しかし、前述した特許文献１に記載されたリモコン送信器は、例えば予め定められた時刻にチャンネル設定された所定の照明器具を点灯させる点灯タイマや、予め定められた時刻にチャンネル設定した所定の照明器具を消灯させる消灯タイマを液晶表示部に表示させることができない。そのため、ユーザーの使い勝手が良好ではない。
一方、予め定められた時刻に照明器具を点灯させる点灯タイマや、予め定められた時刻に照明器具を消灯させる消灯タイマを液晶表示部に表示させるリモコン送信器が提案されている。しかし、このような従来のリモコン送信器は、液晶表示部にチャンネル設定が表示されない。そのため、制御信号を送信した際に、ユーザーがチャンネルを確認することができず、ユーザーが望む照明器具と、設定されたチャンネルとが一致していない場合、照明器具の制御ができない。従って、このような従来のリモコン送信器は、前述した特許文献１に記載されたリモコン送信器と同様に、ユーザーの使い勝手が良好ではない。
【０００５】
本発明は、前述した課題を解決するためになされたものであり、その目的は、ユーザーの使い勝手を良好にできるリモコン送信器を提供することにある。
【課題を解決するための手段】
【０００６】
本発明に係るリモコン送信器は、照明器具の点灯タイマおよび消灯タイマの操作と、照明器具の点灯タイマおよび消灯タイマの操作を照明器具に対応させるチャンネル設定を行う操作部と、操作部の操作状況を表示する表示部とを備え、操作部による操作を行って照明器具に制御信号を送信したときに、表示部は設定されたチャンネル設定を表示する。
【０００７】
本発明に係るリモコン送信器は、チャンネル設定の表示は、操作部による操作後に一定時間行われる。
【発明の効果】
【０００８】
本発明のリモコン送信器によれば、ユーザーの使い勝手を良好にできるという効果を奏する。
【図面の簡単な説明】
【０００９】
【図１】本発明に係る一実施形態のリモコン送信器の正面図
【図２】図１のリモコン送信器の回路構成図
【図３】図１のリモコン送信器の全セグメント表示状態の液晶表示部の正面図
【図４】図１のリモコン送信器の時刻表示状態の液晶表示部の正面図
【図５】図１のリモコン送信器のチャンネル設定状態の液晶表示部の正面図
【発明を実施するための形態】
【００１０】
以下、本発明の一実施形態に係るリモコン送信器について図面を参照して説明する。
本発明の一実施形態であるリモコン送信器１０は、ケース１１と、送信制御部１２と、全灯ボタン１３と、調光ボタン１４と、消灯ボタン１５と、常夜灯ボタン１６と、時刻変更ボタン１７と、時刻設定ボタン１８と、点灯タイマボタン１９と、チャンネル設定ボタン２０と、消灯タイマボタン２１と、液晶表示部（ＬＣＤ）２２とを備える。
【００１１】
また、本発明の一実施形態であるリモコン送信器１０は、第１スイッチング素子Ｔｒ１と、第１前方送信用赤外線発光素子（以下、第１前方発光素子とも言う。）ＬＥＤ１と、第１上方送信用赤外線発光素子（以下、第１上方発光素子とも言う。）ＬＥＤ３と、第２スイッチング素子Ｔｒ２と、第２前方送信用赤外線発光素子（以下、第２前方発光素子とも言う。）ＬＥＤ２と、第２上方送信用赤外線発光素子（以下、第２上方発光素子とも言う。）ＬＥＤ４とを備える。
【００１２】
図１に示すように、リモコン送信器１０は、ケース１１が、上ケース２３と、上ケース２３に結合される不図示の下ケースとからなる。上ケース２３は、操作面上に、全灯ボタン１３と、調光ボタン１４と、消灯ボタン１５と、常夜灯ボタン１６と、時刻変更ボタン１７と、時刻設定ボタン１８と、点灯タイマボタン１９と、チャンネル設定ボタン２０と、消灯タイマボタン２１と、液晶表示部２２とが所定位置に取り付けられている。
【００１３】
また、上ケース２３は、操作面上に、第１上方発光素子ＬＥＤ３と、第２上方発光素子ＬＥＤ４とが指向方向を上方として所定位置に取り付けられている。そして、上ケース２３と下ケースとの前面部２４には、第１前方発光素子ＬＥＤ１と、第２前方発光素子ＬＥＤ２とが指向方向を前方として取り付けられている。
【００１４】
図２に示すように、ケース１１内には、不図示の回路基板上に、送信制御部１２と、全灯スイッチＳＷ１と、調光スイッチＳＷ２と、消灯スイッチＳＷ３と、常夜灯スイッチＳＷ４と、時刻変更スイッチＳＷ５と、時刻設定スイッチＳＷ６と、点灯タイマスイッチＳＷ７と、チャンネル設定スイッチＳＷ８と、消灯タイマスイッチＳＷ９と、液晶表示部２２と、ＮＰＮ型の第１スイッチング素子Ｔｒ１と、同じくＮＰＮ型の第２スイッチング素子Ｔｒ２とが実装されており、不図示のバッテリーが収容されている。
【００１５】
送信制御部１２は、電源ＶＤＤと、全灯スイッチＳＷ１と、調光スイッチＳＷ２と、消灯スイッチＳＷ３と、常夜灯スイッチＳＷ４と、時刻変更スイッチＳＷ５と、時刻設定スイッチＳＷ６と、点灯タイマスイッチＳＷ７と、チャンネル設定スイッチＳＷ８と、消灯タイマスイッチＳＷ９と、液晶表示部２２とに接続されている。送信制御部１２は第１スイッチング素子Ｔｒ１のベースと第２スイッチング素子Ｔｒ２のベースに接続されている。
【００１６】
第１前方発光素子ＬＥＤ１は、そのアノードが電流制限用の抵抗Ｒ１を通じてコレクタ電源ＶＣＣに接続されており、そのカソードが第１スイッチング素子Ｔｒ１のコレクタに接続されている。第１上方発光素子ＬＥＤ３は、そのアノードが電流制限用の抵抗Ｒ３を通じてコレクタ電源ＶＣＣに接続されており、そのカソードが第１スイッチング素子Ｔｒ１のコレクタに接続されている。即ち、第１前方発光素子ＬＥＤ１と、第１上方発光素子ＬＥＤ３とは第１スイッチング素子Ｔｒ１に並列に接続されている。
【００１７】
第２前方発光素子ＬＥＤ２は、そのアノードが電流制限用の抵抗Ｒ２を通じてコレクタ電源ＶＣＣに接続されており、そのカソードが第２スイッチング素子Ｔｒ２のコレクタに接続されている。第２上方発光素子ＬＥＤ４は、そのアノードが電流制限用の抵抗Ｒ４を通じてコレクタ電源ＶＣＣに接続されており、そのカソードが第２スイッチング素子Ｔｒ２のコレクタに接続されている。即ち、第２前方発光素子ＬＥＤ２と、第２上方発光素子ＬＥＤ４とは第２スイッチング素子Ｔｒ２に並列に接続されている。
【００１８】
図３に示すように、液晶表示部２２は、上列に、点灯タイマを表示する「るすばん」と「点灯」の文字を表示する点灯タイマ表示部２５と、コロンを有する４個の７セグメントからなる第１数字表示部２６とを有し、下列に、消灯タイマを表示する「おやすみ」と「消灯」の文字を表示する消灯タイマ表示部２７と、コロンを有する４個の７セグメントからなる第２数字表示部２８とを有する。
【００１９】
次に、リモコン送信器１０の動作について液晶表示部２２による表示を含めて説明する。なお、ここでは、全灯ボタン１３が操作された場合について説明を行い、調光ボタン１４、消灯ボタン１５、常夜灯ボタン１６が操作された場合は全灯ボタン１３と同様であるためにそれらの説明は省略する。
全灯ボタン１３が押下されると全灯スイッチＳＷ１が閉成されるために、送信制御部１２により全灯トリガ信号が処理されて全灯指令信号が生成される。そして、全灯指令信号により、送信制御部１２による第１スイッチング素子Ｔｒ１のオンにより第１前方発光素子ＬＥＤ１、第１上方発光素子ＬＥＤ３から全灯指令信号を含む赤外線信号が送信され、同時に、送信制御部１２による第２スイッチング素子Ｔｒ２のオンにより第２前方発光素子ＬＥＤ２、第２上方発光素子ＬＥＤ４から全灯指令信号を含む赤外線信号が送信される。
【００２０】
これにより、第１前方発光素子ＬＥＤ１から指向方向を前方とする全灯指令信号を含む赤外線信号が送信されるとともに、第１上方発光素子ＬＥＤ３から指向方向を上方とする全灯指令信号を含む赤外線信号が送信される。同時に、第２前方発光素子ＬＥＤ２から指向方向を前方とする全灯指令信号を含む赤外線信号が送信されるとともに、第２上方発光素子ＬＥＤ４から指向方向を上方とする全灯指令信号を含む赤外線信号が送信される。そして、全灯指令信号を含む赤外線信号が照明器具の受光素子により受信され、照明器具が全灯で点灯される。
【００２１】
このとき、第１前方発光素子ＬＥＤ１、第１上方発光素子ＬＥＤ３、第２前方発光素子ＬＥＤ２、第２上方発光素子ＬＥＤ４からは、例えば３８〜４０ｋＨｚに変調されてパルス間隔により全灯指令信号に設定されたビットを有する赤外線信号が送信される。そして、赤外線信号は、負荷である不図示の照明器具に搭載されているフォトトランジスタ等の受光素子により受信されて復調され、照明器具が全灯で点灯される。
【００２２】
次に、時刻表示について説明する。
図４に示すように、時刻設定ボタン１８が押下されることにより時刻設定スイッチＳＷ６が閉成されると、液晶表示部２２の第１数字表示部２６に現在時刻が表示される。そして、第１数字表示部２６に表示されている現在時刻を修正する場合、時刻設定ボタン１８を長押ししたあとに、時刻変更ボタン１７の右側が押下されることにより現在時刻の表示が進み、これとは異なり、時刻変更ボタン１７の左側が押下されることにより現在時刻の表示が戻されて時刻表示が変更される。そして、正確な時刻が表示された後に、時刻設定ボタン１８が再度押下されることにより時刻設定スイッチＳＷ６が再度閉成されて液晶表示部２２の第１数字表示部２６に正しい現在時刻が表示される。
【００２３】
次に、点灯タイマについて説明する。
点灯タイマボタン１９が押下されることにより点灯タイマスイッチＳＷ７が閉成されると、液晶表示部２２の点灯タイマ表示部２５に「るすばん」と「点灯」の文字が表示される。この状態で、時刻設定ボタン１８が押下され、点灯タイマを起動させる時刻が時刻変更ボタン１７により選択されて時刻設定ボタン１８の再押下により設定され、その後に、点灯タイマを終了させる時刻が時刻変更ボタン１７により選択されて時刻設定ボタン１８の再押下により設定される。これにより、液晶表示部２２は、点灯タイマ表示部２５に「るすばん」と「点灯」の文字が表示されるとともに、第１数字表示部２６に点灯タイマを起動させる時刻が表示され、第２数字表示部２８に点灯タイマを終了させる時刻が表示される。これらの点灯タイマ情報は送信制御部１２に格納され、設定された時刻に照明器具に向けて赤外線信号が送信される。点灯タイマは、留守中の所定時刻に照明器具を点灯させてから消灯させることにより在宅を装って防犯を図る。
【００２４】
次に、チャンネル設定について説明する。
チャンネル設定ボタン２０は、１回押下されることによりチャンネル設定スイッチＳＷ８が１回閉成されて現在のチャンネル設定の表示をする。その状態でチャンネル設定スイッチＳＷ８が１回閉成されて１チャンネルが設定され、２回押下されることによりチャンネル設定スイッチＳＷ８が２回閉成されて２チャンネルが設定され、３回押下されることによりチャンネル設定スイッチＳＷ８が３回閉成されて３チャンネルが設定され、押下回数に応じて例えば３個のチャンネルが順送りにより設定される。そして、図５に示すように、液晶表示部２２は、第１数字表示部２６に現在時刻が表示され、第２数字表示部２８に設定されたチャンネル数、例えば３チャンネルの場合は「ＣＨ  ３」が表示され、これらの表示が予め定められた、例えば１０秒間行われる。チャンネル数の表示が液晶表示部２２に所定時間行われるために、ユーザーは、制御信号を送信した際に、チャンネルを確実に確認することができる。３チャンネルが設定されたことにより、複数の第１照明器具、第２照明器具、第３照明器具のうちの第３照明器具について、全灯ボタン１３、調光ボタン１４、消灯ボタン１５、常夜灯ボタン１６の操作が行われ、第３照明器具に向けて赤外線信号が送信される。なお、液晶表示部２２によるチャンネルの表示時間は、１０秒間に代えて、２０秒間や３０秒間等の任意時間に設定することもできる。
【００２５】
次に、消灯タイマについて説明する。
消灯タイマボタン２１が押下されることにより消灯タイマスイッチＳＷ９が閉成されると、消灯タイマ表示部２７に「おやすみ」と「消灯」の文字が表示される。消灯タイマボタン２１は、１回押下されることにより、液晶表示部２２の第２数字表示部２８に設定されたチャンネル数が表示され、さらに押下する毎に消灯時刻が、３０分後、６０分後、消灯解除に切換えられる。これらの消灯タイマ情報は送信制御部１２に格納され、設定された時刻に照明器具に向けて赤外線信号が送信される。
【００２６】
従って、この一実施形態のリモコン送信器１０においては、点灯タイマボタン１９の操作により設定された時刻、消灯タイマボタン２１の操作により設定された時刻およびチャンネル設定ボタン２０の操作により設定されたチャンネルが液晶表示部２２に表示される。
これにより、この一実施形態のリモコン送信器１０においては、ユーザーが、制御信号を送信した際に、設定した点灯タイマ、設定した消灯タイマおよび設定したチャンネルを目視することができるので、ユーザーの使い勝手を良好にできる。
【００２７】
また、この一実施形態のリモコン送信器１０においては、チャンネル設定ボタン２０の操作により設定されたチャンネルが液晶表示部２２の第２数字表示部２８に予め定められた、例えば１０秒間行われる。
これにより、この一実施形態のリモコン送信器１０においては、ユーザーが制御信号を送信した際に、チャンネルを確実に確認することができる。
【００２８】
なお、一実施形態で使用したケース、送信制御部、全灯ボタン、調光ボタン、消灯ボタン、常夜灯ボタン、時刻変更ボタン、時刻設定ボタン、点灯タイマボタン、チャンネル設定ボタン、消灯タイマボタン等は例示したものに限定するものではなく適宜変更が可能である。
【符号の説明】
【００２９】
１０  リモコン送信器
１９  点灯タイマボタン（操作部）
２０  チャンネル設定ボタン（操作部）
２１  消灯タイマボタン（操作部）
２２  液晶表示部（表示部）
【図１】
2011249112.tif 000003
【図２】
2011249112.tif 000004
【図３】
2011249112.tif 000005
【図４】
2011249112.tif 000006
【図５】
2011249112.tif 000007